【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
無線通信のための方法であって、
複数の受信機で受信されるべき共通情報の送信のためにキャリア周波数のセットを識別することと、ここにおいて、前記共通情報は、少なくとも同報チャネル情報と、同期情報またはページング情報のうちの１つまたは複数とを備える、
キャリア周波数の前記セットにおける前記キャリア周波数の各々にわたって前記共通情報を送信するためのずらしパターンを決定することと、ここにおいて、前記ずらしパターンを決定することは、キャリア周波数の前記セットの異なる周波数上の前記共通情報の送信のために非オーバーラップ時間期間を選択することを備え、キャリア周波数の前記セットの前記異なる周波数上の各送信は、前記共通情報を提供する、
を備え、キャリア周波数の前記セットは、少なくとも１つのアンカー周波数、および利用可能なキャリア周波数のグループから選択された複数のフレキシブルキャリア周波数を含み、
前記同期情報の送信帯域幅は、該当のキャリア周波数のための利用可能な送信帯域幅よりも少なく、追加の情報は、残りの利用可能な送信帯域幅を使用して送信される、方法。
【請求項２】
前記ずらしパターンに従ってキャリア周波数の前記セット上で前記共通情報を送信することをさらに備える、請求項１に記載の方法。
【請求項３】
前記ずらしパターンは、前記キャリア周波数の各々上の前記同期情報の送信、および前記キャリア周波数のサブセット上の前記同報または前記ページング情報の送信を備える、請求項１に記載の方法。
【請求項４】
前記ページング情報は、特定のユーザ機器(ＵＥ)のために識別された情報であって、前記ＵＥのためのページング機会中に送信された情報を備え、前記ページング機会が１つまたは複数のＵＥ識別、１つまたは複数のキャリア周波数、または両方の関数である、請求項１に記載の方法。
【請求項５】
前記ページング情報は、キャリア周波数の前記セットのうちの２つ以上にわたってずらされる、請求項１に記載の方法。
【請求項６】
各キャリア周波数上の前記共通情報の送信のための時間期間が所定の時間期間よりも少ない、請求項１に記載の方法。
【請求項７】
前記ずらしパターンは、キャリア周波数の前記セットのうちの１つ上の前記共通情報送信の検出に伴って決定可能な所定のずらしパターンである、請求項１に記載の方法。
【請求項８】
前記ずらしパターンは、前記共通情報の少なくとも一部がキャリア周波数の前記セットの少なくとも１つ上で送信される間にキャリア周波数のサブセットを消去することを含む、請求項１に記載の方法。
【請求項９】
無線通信のための方法であって、
キャリア周波数上の共通情報送信を受信することと、ここにおいて、前記共通情報は、少なくとも同報チャネル情報を備える、
前記受信された共通情報送信に基づいてキャリア周波数のセットにわたる共通情報の送信のためのずらしパターンを決定することと
を備え、前記ずらしパターンを決定することは、
複数のキャリア周波数を並列にサーチすること、または各キャリア周波数の帯域幅の一部を並列にサーチすることと、
同期信号を検出するために時間が経つにつれて異なるキャリア周波数からの信号を組み合わせることと、
前記受信された共通情報送信の時間およびキャリア周波数を識別することと、
キャリア周波数の前記セットの異なる周波数上の前記共通情報の送信のために非オーバーラップ時間期間を決定することと、ここにおいて、キャリア周波数の前記セットの前記異なる周波数上の各送信は、前記共通情報を提供する、
を備え、前記ずらし情報は、前記受信された共通情報送信の前記時間および前記周波数に基づいて決定される、方法。
【請求項１０】
共通情報送信を前記受信することは、前記共通情報送信を求めて複数のキャリア周波数をサーチすることを備える、請求項９に記載の方法。
【請求項１１】
周波数間測定目的で前記ずらしパターンを基地局へ通知することをさらに備える、請求項９の方法。
【請求項１２】
前記共通情報送信は、前記ずらしパターンを指示するシグナリングを備える、請求項９に記載の方法。
【請求項１３】
前記ずらしパターンからの情報を使用して周波数間測定を行うことをさらに備える、請求項１２に記載の方法。
【請求項１４】
前記共通情報は、同期情報またはページング情報の１つまたは複数をさらに備える、請求項９に記載の方法。
【請求項１５】
前記ずらしパターンは、前記キャリア周波数の各々上の同期情報送信、および前記キャリア周波数のサブセット上の同報または前記ページング情報の送信を備える、請求項１４に記載の方法。
【請求項１６】
前記ページング情報は、特定のユーザ機器(ＵＥ)のために識別された情報であって、前記ＵＥのためのページング機会中に送信された情報を備え、前記ページング機会が１つまたは複数のＵＥ識別、１つまたは複数のキャリア周波数、または両方の関数である、請求項１４に記載の方法。
【請求項１７】
キャリア周波数の前記セットは、少なくとも１つのアンカー周波数、および利用可能なキャリア周波数のグループから選択された複数のフレキシブルキャリア周波数を含む、請求項９に記載の方法。
【請求項１８】
無線通信のための装置であって、
プロセッサと、
前記プロセッサに結合されたメモリと
を備え、前記プロセッサは、
複数の受信機で受信されるべき共通情報の送信のためにキャリア周波数のセットを識別することと、ここにおいて、前記共通情報は、少なくとも同報チャネル情報と、同期情報またはページング情報のうちの１つまたは複数とを備える、
キャリア周波数の前記セットにおける前記キャリア周波数の各々にわたって前記共通情報を送信するためのずらしパターンを決定することと、ここにおいて、前記ずらしパターンを決定することは、キャリア周波数の前記セットの異なる周波数上の前記共通情報の送信のために非オーバーラップ時間期間を選択することを備え、キャリア周波数の前記セットの前記異なる周波数上の各送信は、前記共通情報を提供する、
を行うように構成され、
キャリア周波数の前記セットは、少なくとも１つのアンカー周波数、および利用可能なキャリア周波数のグループから選択された複数のフレキシブルキャリア周波数を含み、
前記同期情報の送信帯域幅は、該当のキャリア周波数のための利用可能な送信帯域幅よりも少なく、追加の情報は、残りの利用可能な送信帯域幅を使用して送信される、装置。
【請求項１９】
前記プロセッサは、前記装置に前記ずらしパターンに従ってキャリア周波数の前記セット上で前記共通情報を送信させるようにさらに構成される、請求項１８に記載の装置。
【請求項２０】
前記ずらしパターンは、キャリア周波数の前記セットのうちの１つ上の前記共通情報送信の検出に伴って決定可能な所定のずらしパターンである、請求項１８に記載の装置。
【請求項２１】
無線通信のための装置であって、
プロセッサと、
前記プロセッサに結合されたメモリと
を備え、前記プロセッサは、
キャリア周波数上の共通情報送信を受信することと、ここにおいて、前記共通情報は、少なくとも同報チャネル情報を備える、
前記受信された共通情報送信に基づいてキャリア周波数のセットにわたる共通情報の送信のためのずらしパターンを決定することと
を行うように構成され、前記ずらしパターンを決定することは、
複数のキャリア周波数を並列にサーチすること、または各キャリア周波数の帯域幅の一部を並列にサーチすることと、
同期信号を検出するために時間が経つにつれて異なるキャリア周波数からの信号を組み合わせることと、
前記受信された共通情報送信の時間およびキャリア周波数を識別することと、
キャリア周波数の前記セットの異なる周波数上の前記共通情報の送信のために非オーバーラップ時間期間を決定することと、ここにおいて、キャリア周波数の前記セットの前記異なる周波数上の各送信は、前記共通情報を提供する、
を備え、前記ずらし情報は、前記受信された共通情報送信の前記時間および前記周波数に基づいて決定される、装置。
【請求項２２】
前記ずらしパターンは、キャリア周波数の前記セットのうちの１つ上の前記共通情報送信の検出に伴って決定可能な所定のずらしパターンである、請求項２１に記載の装置。